(57)【要約】【課題】  カバー部材が開放された状態でもシートを安定してカバー部材上に排出積載することのできる画像読取記録装置を提供する。【解決手段】  画像読取部Ａを装置本体５０Ａの上部に設け、画像読取部Ａの側部に画像記録部Ｂを設けると共に、原稿台３３に、原稿台３３に載置された原稿を原稿台側に押圧するカバー部材３を画像記録部Ｂの方向に回動可能に設ける。また、画像記録部Ｂにより画像が記録されたシートＳをシート排出手段１５ａ，１５ｂによりシート排出口２からカバー部材３の上面に排出すると共に、シート排出口２とカバー部材３との間にシート排出口２から排出されたシートＳをカバー部材３の上面に案内するガイド部材９を画像記録部Ｂの方向に回動可能に設ける。そして、ガイド部材９を、カバー部材３が画像記録部Ｂの方向に回動すると、このカバー部材９の回動に伴って画像記録部Ｂの方向に回動させるようにする。【選択図】    図１
2005184139.tif 000002
【特許請求の範囲】
【請求項１】
装置本体と、前記装置本体の上部に設けられ、原稿台に載置された原稿の画像を読み取る画像読取部と、前記画像読取部の側部に設けられ、シートに画像を記録する画像記録部とを備えた画像読取記録装置において、
前記原稿台に設けられ、該原稿台に載置された原稿を原稿台側に押圧する前記画像記録部の方向に回動可能なカバー部材と、
前記画像記録部により画像が形成されたシートをシート排出口から前記カバー部材の上面に排出するシート排出手段と、
前記シート排出口と前記カバー部材との間に設けられ、前記シート排出口から排出されたシートを前記カバー部材の上面に案内する前記画像記録部の方向に回動可能なガイド部材と、
を備え、
前記カバー部材が前記画像記録部の方向に回動すると、該カバー部材の回動に伴って前記ガイド部材を前記画像記録部の方向に回動させるようにしたことを特徴とする画像読取記録装置。
【請求項２】
前記ガイド部材の回動端を前記カバー部材の上面に係止させたことを特徴とする請求項１に記載の画像読取記録装置。
【請求項３】
前記ガイド部材の固定端を前記シート排出口よりも下方に配したことを特徴とする請求項１又は２に記載の画像読取記録装置。
【請求項４】
前記カバー部材を取り外し可能としたことを特徴とする請求項１乃至３のいずれか１項に記載の画像読取記録装置。
【発明の詳細な説明】
【技術分野】
【０００１】
本発明は、画像読取部と画像記録部とを備えた画像読取記録装置に関し、特に画像記録部により画像が記録されたシートを画像読取部に設けられたカバー部材上に排出するようにしたものに関する。
【背景技術】
【０００２】
従来、原稿台上に載置した原稿の画像を読み取る画像読取部と、シート上に画像を記録する画像記録部とを備えた画像読取記録装置があり、このような画像読取記録装置としては、例えば複写機、ファクシミリ装置、あるいは複合機がある。
【０００３】
ここで、このような画像読取記録装置では、例えば画像読取部として、原稿台に載置された原稿を走査して原稿画像を読み取るフラットベットタイプの画像読取手段（フラットベットスキャナ）を備えたものあり、このような画像読取手段を備えた場合は、装置本体の最上部に画像読取部を配置すると共に原稿台に載置する原稿を押えるためのカバー部材を開閉自在に設ける構成としている。
【０００４】
ところで、このような画像読取記録装置においては、装置本体を一体型にするため、画像記録部を画像読取部の下側に配置し、さらに画像を記録したシートの排出口も画像読取部の下側に配置する構成としていた。
【０００５】
しかし、このような構成とした場合、装置本体の高さが高くなるため、例えば図５に示すように装置本体５０Ａの上部に画像読取部５２を設けると共に、画像読取部５２の側方に画像記録部５３を配置するような構成が提案されている（特許文献１及び特許文献２参照）。
【０００６】
なお、同図において、５４は原稿読取部５２で読み取られる原稿を押圧するカバー部材である圧板であり、この圧板５４は画像記録部近傍に設けられたヒンジ５５を支点として回動可能に構成されている。また、５６はシートＳを排出するシート排出口であり、画像記録部５３で画像が記録されたシートＳは、矢印に示すようにシート排出口５６から圧板上に排出されるようになっている。
【０００７】
【特許文献１】特開２０００−１７７９０９号公報
【特許文献２】特開２０００−１８４１２３号公報
【発明の開示】
【発明が解決しようとする課題】
【０００８】
しかしながら、このような従来の画像読取記録装置において、シート排出口５６からシートＳが排出される際、圧板５４が想像線で示すように上方回動して開放状態になっていると、排出されるシートＳの先端が圧板５４とぶつかり、シートＳの不送り、シートＳの折れ等の不具合が生じ、シートＳを安定して排出積載することができない場合がある。
【０００９】
そこで、このような不具合の発生を防ぐため、例えば圧板５４の開放状態を検知すると、シートＳの排出を一時停止させるようにすることが考えられるが、このように構成した場合、圧板５４の開閉を検知するセンサが必要となってコストアップとなるだけでなく、排出が一時停止するので能率が悪くなる。
【００１０】
そこで、本発明はこのような現状に鑑みてなされたものであり、圧板（カバー部材）が開放された状態でもシートを安定して圧板（カバー部材）上に排出積載することのできる画像読取記録装置を提供することを目的とするものである。
【課題を解決するための手段】
【００１１】
装置本体と、前記装置本体の上部に設けられ、原稿台に載置された原稿の画像を読み取る画像読取部と、前記画像読取部の側部に設けられ、シートに画像を記録する画像記録部とを備えた画像読取記録装置において、前記原稿台に設けられ、該原稿台に載置された原稿を原稿台側に押圧する前記画像記録部の方向に回動可能なカバー部材と、前記画像記録部により画像が形成されたシートをシート排出口から前記カバー部材の上面に排出するシート排出手段と、前記シート排出口と前記カバー部材との間に設けられ、前記シート排出口から排出されたシートを前記カバー部材の上面に案内する前記画像記録部の方向に回動可能なガイド部材と、を備え、前記カバー部材が前記画像記録部の方向に回動すると、該カバー部材の回動に伴って前記ガイド部材を前記画像記録部の方向に回動させるようにしたことを特徴とするものである。
【００１２】
また本発明は、前記ガイド部材の回動端を前記カバー部材の上面に係止させたことを特徴とするものである。
【００１３】
また本発明は、前記ガイド部材の固定端を前記シート排出口よりも下方に配したことを特徴とするものである。
【００１４】
また本発明は、前記カバー部材を取り外し可能としたことを特徴とするものである。
【発明の効果】
【００１５】
本発明によれば、シート排出口とカバー部材との間にシート排出口から排出されたシートをカバー部材の上面に案内するガイド部材を設け、このガイド部材をカバー部材の回動に伴って回動させることにより、カバー部材が開放状態のときシートが排出されても、シートを滑らかにカバー部材上面にガイドすることができる。これにより、シートの不送り、シートの折れなどの不具合が生じることがなくなり、カバー部材が開放された状態でもシートを安定してカバー部材上に排出積載することができる。
【発明を実施するための最良の形態】
【００１６】
以下、本発明を実施するための最良の形態について図面を用いて詳細に説明する。
【００１７】
図１は、本発明の実施の形態に係る画像読取記録装置の概略構成断面図であり、図２はその外観斜視図である。
【００１８】
図１及び図２において、５０は画像読取記録装置であり、この画像読取記録装置５０は、画像読取記録装置本体（以下、装置本体という）５０Ａと、装置本体５０Ａの上部に設けられた画像読取部であるフラットベットスキャナ方式の原稿読取部Ａと、原稿読取部Ａの一側（装置奥側）に配置された画像記録部であるインクジェット記録式の記録部Ｂと、原稿読取部Ａの下方に設けられ、カセット１に収納されたシートＳを記録部Ｂに給送するシート給送部Ｃとを備えている。
【００１９】
なお、図２において、５１は操作部であり、この操作部５１には液晶表示部とダイアルキー等の操作キーが配設されている。また、カセット１は、装置本体５０Ａに、図２の矢印Ｅの方向に引き出し可能に設けられている。
【００２０】
また、図３は画像読取記録装置５０の概略部品上面配置図であり、同図において、４１は制御用基板、４２は電源である。そして、制御用基板４１は原稿読取部Ａの下方でカセット１の一側に、また電源４２はカセット１の他の一側にそれぞれ配置されている。
【００２１】
ここで、原稿読取部Ａは、図１に示すように原稿読取手段としてのイメージセンサ３０と、イメージセンサ３０の上方に設けられた原稿台としてのコンタクトガラス３３とを備えている。なお、３１はイメージセンサ３０が取り付けられたイメージセンサホルダであり、このイメージセンサホルダ３１が、不図示の駆動部により駆動されると、イメージセンサホルダ３１は、イメージセンサホルダ３１を介して図４に示すようにガイドレール３２に沿って矢印Ｆ方向に水平に駆動されるようになっている。
【００２２】
そして、コンタクトガラス３３の原稿載置面上に原稿面を下向きにセットした後、このようにイメージセンサ３０を矢印Ｆ方向に読取走査することにより、原稿の画像情報を読み取るようになっている。なお、本実施の形態において、原稿のサイズは例えばＡ４サイズであり、イメージセンサ３０の長手方向（図４の矢印Ｆ方向）の読み取り可能幅は２１０ｍｍ、読み取り搬送距離は２９７ｍｍである。
【００２３】
また記録部Ｂは、パソコン等の上位機器から伝送された画信号、文字データ等の画像信号に応じて、あるいは読取部Ａで読み取った画像信号に応じてカセット１より供給されたシートＳに画像を記録（形成）するものであり、画像記録（画像形成）手段である記録カートリッジ１２を備えている。
【００２４】
ここで、この記録カートリッジ１２は、キャリッジシャフト１４に沿って摺動するキャリッジ１２ａに着脱可能に搭載されており、キャリッジ１２ａの不図示のモータ及び駆動系によるシートＳの幅方向（シート搬送方向と直交する方向）への移動に伴ってシートＳに対して重力方向にインクを吐出することにより、シリアル印字（画像形成）を行うよう構成されている。
【００２５】
なお、同図において、１３はプラテン板、１１はシートＳをプラテン板１３と記録カートリッジ１２との間に搬送するＬＦローラ１１、１０はカセット１より搬送されたシートＳの上ガイドを兼ねると共に先端部にピンチローラ１０ａを回転自在に保持したシート押えであり、このシート押え１０のピンチローラ１０ａによりシートＳはＬＦローラ側に押圧される。
【００２６】
また、５は記録カバーであり、この記録カバー５は記録カバーヒンジ６を中心に記録部Ｂの上部に設けられた上カバー７に回動可能に保持されている。そして、このように記録カバー５を記録部Ｂの上部に設けることにより、記録カートリッジ１２の装填や交換を簡単に行うことができる。
【００２７】
さらに、このように記録カバー５を記録部Ｂの上部に設けることにより、読取部Ａ及び後述する圧板３に干渉しないように記録カバー５の開閉を行うことができ、これにより記録カートリッジ１２の着脱の際の操作性及びメンテナンス性を向上させることができる。
【００２８】
また、シート給送部Ｃは、カセット１に収納されたシートＳを給送する給送ローラ２３と、給送ローラ２３に圧接する分離パット２４とを備えている。そして、このシート給送部Ｃは、不図示の駆動系により給送ローラ２３が１回転制御されて矢印方向に回転することによりシートＳを送り出すと共に、送り出されたシートＳを給送ローラ２３と分離パット２４とによって１枚だけ分離して記録部ＢまでＵターン搬送するようにしている。
【００２９】
ここで、カセット１に収納されるシートＳとしては、普通紙やプラスチックシート及びその他の材質であって、インクを転写し得るものを用いることが可能である。なお、本実施の形態では、Ａ４サイズにカットされた普通紙をシートＳとして用いている。
【００３０】
なお、２１はカセットフレームであり、シートＳは、このカセットフレーム内に設けられた不図示の高さ規制板により、制限された枚数だけ収納積載されるようになっている。また、このカセットフレーム２１は、不図示のスライダによってシートＳのサイズに合わせてシートＳの側面をガイドできるように構成されている。
【００３１】
さらにカセットフレーム２１には中板２２が不図示の軸を中心に回動可能に設けられており、この中板２２を不図示の中板ばねによって給送ローラ２３の方向に付勢することにより、シートＳを給送ローラ２３に接触させるようにしている。そして、このように中板２２によってシートＳを給送ローラ２３に接触させることにより、給送ローラ２３の回転によってシートＳを確実に送り出すことができる。なお、シートＳの補充は、カセット１を図２の矢印Ｅで示す装置手前方向へ引き出すことにより簡単に行うことができる。
【００３２】
次に、このように構成された画像読取記録装置５０における画像読取及び画像記録動作について説明する。例えば、原稿読取部Ａで読み取られた原稿画像をシートＳに形成する場合は、まずコンタクトガラス３３の原稿載置面上に原稿を原稿面を下向きにセットした後、イメージセンサ３０を読取走査することにより、原稿の画像情報を読み取る。
【００３３】
次に、カセット１に収納されたシートＳを給送ローラ２３の１回転制御及び分離パット２４によって１枚だけ分離して記録部ＢまでＵターン搬送し、この後、ＬＦローラ１１によりシートＳをプラテン板１３と記録カートリッジ１２との間に搬送する。
【００３４】
次に、キャリッジシャフト１４に沿ってキャリッジ１２ａと共に記録カートリッジ１２をシートＳの幅方向に移動させ、読取部Ａで読み取った画像信号に応じてシートＳに対して重力方向にインクを吐出することにより、シリアル印字（画像記録）を行う。
【００３５】
次に、このようにシリアル印字が行われたシートＳは、記録カートリッジ１２の下流に位置する排出ローラ１５ａと、排出ロ−ラ１５ａの対向側に設けられ、シートＳの印字面に接触してもインクが転写されることの無い材質で構成された拍車ローラ１５ｂとにより構成されるシート排出手段により、印字面を汚さないようにして矢印方向Ｇに搬送され、シート排出口２から排出される。
【００３６】
そして、この後、シートＳは、原稿を原稿台側に押圧するカバー部材としての機能を備えると共に、原稿を押える側の反対側の面（上面）においては、シート排出口２から略水平方向に排出される記録済みのシートＳを積載するための記録済みシート積載部（排出トレイ）としての機能も備えた圧板３の上面にストレートに排出される。
【００３７】
ここで、この圧板３は、装置本体上面の記録部Ｂの近傍に設けられたヒンジ４を中心として記録部側に回動可能に構成されている。なお、圧板３は、メンテナンス等が容易になるよう、原稿読取部Ａに対して上下方向に取り外し可能となっており、このように圧板３が上下方向に取り外し可能となるようヒンジ４は不図示の読取部カバーの穴に嵌合している。また、この圧板３のコンタクトガラス３３に接する面は、スポンジ、あるいは発泡ウレタンなどの材料で形成され、原稿をコンタクトガラス３３に均一に押し付けるように構成されている。
【００３８】
ところで、本実施の形態において、シート排出口２と圧板３の間には、排出されたシートＳを圧板３の上面に案内するガイド部材であるシートガイド９が、シートガイドヒンジ１６を中心として回動可能に設けられている。なお、このシートガイド９の固定端は、シート排出口２からのシートＳの排出の妨げにならないようシート排出口２よりも下方に設けられている。
【００３９】
さらに、このシートガイド９の回動端は圧板３の固定端部の上面に係止しており、これによりシート排出口２から排出されたシートＳは矢印Ｇに示すように、シートガイド９の上面に沿って閉じられた状態の圧板３の上面に排出されるようになっている。
【００４０】
一方、圧板３が開放され、圧板３が想像線で示される位置に移動すると、シートガイド９は、回動端が圧板３の固定端部の上面に係止していることから、圧板３に伴って記録部側に上方回動する。これにより、シート排出口２から排出されたシートＳは矢印Ｇ’に示すように、圧板３に伴って記録部側に上方回動したシートガイド９に沿って滑らかにガイドされ、圧板３の上面に排出される。
【００４１】
このように、シート排出口２と圧板３との間にシート排出口２から排出されたシートＳを圧板３の上面に案内するシートガイド９を回動可能に設け、圧板３が開放されると、これに伴ってシートガイド９を上方回動させることにより、圧板３が開放状態のときシートＳが排出されても、シートＳを滑らかにガイドすることができる。
【００４２】
これにより、圧板３が開放された状態でもシートの不送り、シートの折れなどの不具合が生じることがなくなり、シートＳを安定して圧板上に排出積載することができる。また、圧板３の開放状態を検知するためのセンサ及びシートＳの排出の一時停止が不要となり、コストダウンおよび能率アップを図ることができる。
【００４３】
なお、本実施の形態の一例として、シートＳとしてＡ４サイズの普通紙を１００枚収納可能な記録紙カセット１の上に、原稿読取部ＡとしてＡ４サイズ原稿を読み取るフラットベットスキャナを置き、装置奥側上部に記録部Ｂとしてインクジェット記録部を配置した構成とすれば、インクジェット記録部の記録カートリッジ１２の動作範囲に必要な大きさと、フラットベットスキャナのイメージセンサ３０の動作範囲がほぼ同じのため、装置本体５０Ａの大きさは装置横幅３７０ｍｍ、装置奥行き３５０ｍｍ、装置高さ１８０ｍｍ程度の寸法サイズを達成することができる。
【００４４】
この結果、設置面範囲が略Ａ３サイズも必要としないので個人のデスク上に本画像読取記録装置を設置することができ、操作者が座ったままで操作することが可能となる。
【図面の簡単な説明】
【００４５】
【図１】本発明の実施の形態に係る画像読取記録装置の概略構成断面図。
【図２】上記画像読取記録装置の外観斜視図。
【図３】上記画像読取記録装置の概略部品上面配置図。
【図４】上記画像読取記録装置の画像読取部上面配置図。
【図５】従来の画像読取記録装置の概略構成断面図。
【符号の説明】
【００４６】
１        カセット
２        シート排出口
３        圧板
９        シートガイド
１２      記録カートリッジ
１５ａ    排出ローラ
１５ｂ    拍車ローラ
３０      イメージセンサ
３３      コンタクトガラス
Ａ        原稿読取部
Ｂ        記録部
Ｃ        シート給送部
Ｓ        シート
【図１】
2005184139.tif 000003
【図２】
2005184139.tif 000004
【図３】
2005184139.tif 000005
【図４】
2005184139.tif 000006
【図５】
2005184139.tif 000007